(57)【要約】  使い捨てプルオン吸収性物品は、上着様グラフィック（上に着る衣服のようなグラフィック）を含む。上着様グラフィックは、デザインテーマを提供し、上着構成要素及び背景要素を含む。上着構成要素及び背景要素は、デザインテーマにおいて相関するように選択される。デザインテーマは、上着構成要素及び背景要素の組み合わせによって特徴付けられる。本発明はまた、パッケージ中に収容される使い捨てプルオン吸収性物品の配列に関する。各吸収性物品は、デザインテーマを提供し、上着構成要素及び背景要素を含む上着様グラフィックを含み、上着構成要素及び背景要素は、デザインテーマにおいて相関するように選択される。デザインテーマは、上着構成要素及び背景要素の組み合わせによって特徴付けられる。
2010508116.tif 000002
【特許請求の範囲】
【請求項１】
上着様グラフィックを含む使い捨てプルオン吸収性物品であって、
前記上着様グラフィックが、デザインテーマを提供し、上着構成要素及び背景要素を含み、
前記上着構成要素及び前記背景要素が、デザインテーマにおいて相関するように選択され、
前記デザインテーマが、前記上着構成要素及び前記背景要素の組み合わせによって特徴付けられる、使い捨てプルオン吸収性物品。
【請求項２】
前記上着構成要素が、擬似ウエストバンド、擬似ベルト、擬似ベルト穴、擬似ポケット、擬似ボタン、擬似レッグバンド、擬似ステッチ、擬似ジッパー、擬似パンツフライ、デザインテーマ用のタグ、寸法マーク、又は、これらの任意の組み合わせを含む、請求項１に記載の使い捨てプルオン吸収性物品。
【請求項３】
前記背景要素が、文字、ロゴ、数字、マーク、擬似バッジ、擬似エンブレム、擬似フリル、擬似リボン、キャラクター、又は、これらの任意の組み合わせを含む装飾要素を含む、請求項１に記載の使い捨てプルオン吸収性物品。
【請求項４】
前記吸収性物品が、長手方向及び横断方向に延び、
前記吸収性物品が、液体透過性トップシート、バックシート、及び、前記液体透過性トップシート及び前記バックシートの間の吸収性コアを有する本体と、前記本体から横断方向外側に延びる一対のサイドパネルと、を含み、
前記上着様グラフィックが、前記本体の領域の少なくとも７０％に現れるように配置される、請求項１に記載の使い捨てプルオン吸収性物品。
【請求項５】
前記上着様グラフィックが、前記サイドパネルの一部に現れるように配置される、請求項４に記載の使い捨てプルオン吸収性物品。
【請求項６】
前記上着様グラフィックが、前記バックシート上に印刷され、前記バックシートが不織布で覆われる、請求項４に記載の使い捨てプルオン吸収性物品。
【請求項７】
前記不織布が、前記デザインテーマに関連する補足的な模様を有する、請求項６に記載の使い捨てプルオン吸収性物品。
【請求項８】
前記サイドパネルが、前記デザインテーマに関連するサイド模様を有する、請求項４に記載の使い捨てプルオン吸収性物品。
【請求項９】
パッケージ中に収容される複数個の使い捨てプルオン吸収性物品の配列であって、各吸収性物品が、上着様グラフィックを含み、前記上着様グラフィックが、デザインテーマを提供し、上着構成要素及び背景要素を含み、前記上着構成要素及び前記背景要素が、前記デザインテーマにおいて相関するように選択され、前記デザインテーマが、前記上着構成要素及び前記背景要素の組み合わせによって特徴付けられ、
使い捨て吸収性物品の前記配列が、第１の上着様グラフィックを含む第１の吸収性物品及び第２の上着様グラフィックを含む第２の吸収性物品を含み、前記第１の上着様グラフィックが、第１のデザインテーマを提供し、前記第２の上着様グラフィックが、第２のデザインテーマを提供し、
前記上着構成要素及び前記背景要素から選択される少なくとも１つが、前記第１の上着様グラフィックと第２の上着様グラフィックとの間で違いを付けられることで、前記第１の上着様グラフィック及び前記第２の上着様グラフィックが互いに異なっており、前記第１のデザインテーマ及び第２のデザインテーマが互いに関連している、パッケージ中に収容される使い捨てプルオン吸収性物品の配列。
【請求項１０】
パッケージ中に収容される使い捨てプルオン吸収性物品の配列であって、各吸収性物品が上着様グラフィックを含み、前記上着様グラフィックが、デザインテーマを提供し、上着構成要素及び背景要素を含み、前記上着構成要素及び前記背景要素が、前記デザインテーマにおいて相関するように選択され、前記デザインテーマが、前記上着構成要素及び前記背景要素を組み合わせることによって特徴付けられ、
使い捨て吸収性物品の前記配列が、第１の上着様グラフィックを含む第１の吸収性物品及び第２の上着様グラフィックを含む第２の吸収性物品を含み、前記第１の上着様グラフィックが、第１のデザインテーマを提供し、前記第２の上着様グラフィックが第２のデザインテーマを提供し、
前記上着構成要素及び前記背景要素から選択される少なくとも１つが、前記第１の上着様グラフィックと前記第２の上着様グラフィックとの間で違いを付けられることで、前記第１の上着様グラフィック及び前記第２の上着様グラフィックが互いに異なっており、前記第１のデザインテーマ及び前記第２のデザインテーマが前記互いに関連していない、パッケージ中に収容される使い捨てプルオン吸収性物品の配列。
【発明の詳細な説明】
【技術分野】
【０００１】
本発明は、上着様グラフィック（上に着る衣服のようなグラフィック）を含む使い捨てプルオン吸収性物品に関する。本発明は更に、パッケージ中に収容される使い捨てプルオン吸収性物品の配列に関し、各吸収性物品は上着様グラフィックを含む。
【背景技術】
【０００２】
おむつは、尿及び他の身体排出物を吸収し、収容する吸収性物品である。幼児用のおむつは、構造によって２つの種類に分類されることができる。１つは、着用者の身体の周りでおむつを本質的に閉じた構成に形成するために、密閉手段を含む「従来のおむつ」（例えば、テープ式おむつ）である。もう１つは、閉じたサイドシームを備える「プルオンおむつ」である。プルオンおむつは主に、自分で立つことや歩くことができる幼児に着用される目的でデザインされている。
【０００３】
幼児の成長過程において、幼児は、色、寸法、形状、模様、グラフィックなどのような、物体の外観の「視覚刺激」を認識することを徐々に学ぶ。幼児が着用するおむつも例外ではない。幼児は、小さな乳児のためだけに作製されているように見えるデザインのおむつは、つまらないものであると考えるかもしれない。
【０００４】
製造業者は、液体の吸収能力、快適さ、通気性などのような、おむつの機能に主に注意を払ってきた。対照的に、製造業者は、おむつにおいて様々なデザインを提供することに熱心でないのかもしれない。おむつのデザインは主に、通常の無地又は模様のない地を含む。しかしながら、幼児がおむつを着用する際に、又は、おむつが交換される際に、このような通常のデザインは、幼児、親、又は、世話人に視覚的に十分に訴えるものではない場合がある。従来のおむつから卒業する準備のできている幼児は、自分が着用するものに関して通常のデザインの概念ではなく、他のデザインの概念を欲している場合がある。
【０００５】
幾つかのおむつは、幼児を引き付けるために、おむつの前部及び／又は後部における外側表面上にキャラクターデザインを採用している。しかしながら、例えば、キャラクターデザインのみを備えるおむつは、幼児に、そのおむつは年少の乳児のためにデザインされているという印象を、依然として与えるかもしれない。更には、キャラクターデザインのみを備えるおむつは、ファッション要素を含まない場合がある。したがって、幼児用のファッション指向のおむつには選択肢がなかった。
【０００６】
近年、様々な種類の子供の衣類がある。これは、親の世代が、自身の着用する様々な種類の衣類に詳しいということが原因の１つであり得る。子供を養育する上で、親には、子供の衣類に親の好みを反映する傾向がある可能性がある。
【発明の概要】
【発明が解決しようとする課題】
【０００７】
上述をもとにすると、改善されたファッション要素を提供することが好ましい。複数個のおむつを収容するパッケージからおむつを選択する楽しみを提供するのも望ましい。
【課題を解決するための手段】
【０００８】
本発明は、上着様グラフィックを含む使い捨て吸収性物品に関する。上着様グラフィックは、デザインテーマを提供し、上着構成要素及び背景要素を含む。上着構成要素及び背景要素は、デザインテーマにおいて相関するように選択される。デザインテーマは、上着構成要素及び背景要素の組み合わせによって特徴付けられる。
【０００９】
本発明は、パッケージ中に収容される、上述の複数個の使い捨てプルオン吸収性物品の配列にも関する。使い捨て吸収性物品の配列は、第１の上着様グラフィックを含む第１の吸収性物品及び第２の上着様グラフィックを含む第２の吸収性物品を含む。第１の上着様グラフィックは、第１のデザインテーマを提供し、第２の上着様グラフィックは、第２のデザインテーマを提供する。上着構成要素及び背景要素から選択される少なくとも１つは、第１の上着様グラフィックと第２の上着様グラフィックとの間で違いを付けられることで、第１の上着様グラフィック及び第２の上着様グラフィックは互いに異なっている。第１のデザインテーマ及び第２のデザインテーマは、互いに関連してよい。あるいは、第１のデザインテーマ及び第２のデザインテーマは、互いに関連しなくてよい。
【００１０】
本発明の上述、他の特徴並びに利点、及び、それを達成する方法がより明らかにされ、発明自体が、図面及び以下の説図面の明を参照することでより理解されるであろう。
【図面の簡単な説明】
【００１１】
本明細書は、本発明を特定して指摘し明確に請求する請求項で完結しているが、本発明は、類似の参照番号が類似要素を特定する添付図面と併せ読むことにより、よりよく理解されると考えられる。
【図１】本発明の１つの実施形態の前平面図。
【図１Ａ】図１で示された実施形態の上着様グラフィックの上着構成要素を示す部分図。
【図１Ｂ】図１で示された実施形態の上着様グラフィックの背景要素を示す部分図。
【図２】図１で示された実施形態の後平面図。
【図２Ａ】図２で示された実施形態の上着様グラフィックの上着構成要素を示す部分図。
【図２Ｂ】図２で示された実施形態の上着様グラフィックの背景要素を示す部分図。
【図３】本発明の別の実施形態の前平面図。
【図４】図３で示された実施形態の後平面図。
【図５】本発明の別の実施形態の前平面図。
【図６】図５で示された実施形態の後平面図。
【図７】本発明の別の実施形態の前平面図。
【図８】図７で示された実施形態の後平面図。
【図９】本発明の別の実施形態の前平面図。
【図１０】図９で示された実施形態の後平面図。
【図１１】本発明の別の実施形態の前平面図。
【図１２】図１１で示された実施形態の後平面図。
【図１３】本発明の別の実施形態の前平面図。
【図１４】図１３で示された実施形態の後平面図。
【図１５】本発明の別の実施形態の前平面図。
【図１６】図１５で示された実施形態の後平面図。
【図１７】本発明の別の実施形態の前平面図。
【図１８】図１７で示された実施形態の後平面図。
【図１９】本発明の別の実施形態の前平面図。
【図２０】図１９で示された実施形態の後平面図。
【図２１】本発明の別の実施形態の前平面図。
【図２２】図２１で示された実施形態の後平面図。
【図２３】本発明の別の実施形態の前平面図。
【図２４】図２３で示された実施形態の後平面図。
【図２５】本発明の別の実施形態の前平面図。
【図２６】図２５で示された実施形態の後平面図。
【図２７】本発明の実施形態の本体の部分断面図。
【図２８】パッケージ中における吸収性物品の配列の透視概略図。
【００１２】
図において、色付けされた背景の引き出し線は、視覚的に便宜を図るために使用され、図がこのような略線を正確に有することを意味していない。
【発明を実施するための形態】
【００１３】
本発明は、使い捨てプルオン吸収性物品に関する。吸収性物品は、上着様グラフィックを含む。上着様グラフィックは、吸収性物品にデザインテーマを提供する。
【００１４】
用語「吸収性物品」は、おむつ、トレーニングパンツ、失禁用製品、おむつパンツ、使い捨て下着などを意味する。好適なトレーニングパンツ及びおむつパンツは、継ぎ合わされたサイドプロポーション又は再締結可能なサイド部分を有することができる。本発明は、幼児用トレーニングパンツ又はおむつに使用するのに適してよい。
【００１５】
用語「使い捨て」は、洗濯ないしは別の方法で復元又は再利用することを目的としない物品（即ち、それらは１回使用後に廃棄されることを目的とし、好ましくはリサイクルされるか、堆肥化されるか、又は、環境に適した方式で処理されることを目的とする）を意味する。用語「プルオン物品」は、画定されたウエスト開口部及び脚開口部を有する着用物品であって、脚開口部の中に脚を挿入してウエスト上まで物品を引っ張り上げることによって着用者の腰上へと引っ張られる着用物品を意味する。「プルオン物品」は、尿及び身体排出物を吸収し、収容するための「吸収材」であってもよい。本発明の１つの実施形態は、例えば図１及び２に示されるようなおむつ２０などのプルオンおむつであってよい。「プルオンおむつ」は、一般的に幼児及び他の失禁症状のある個人によって着用され、尿及び他の身体排出物を吸収し、収容する。しかし、本発明は、トレーニングパンツ、失禁者用ブリーフ、女性用衛生衣類、又は、パンティなど、他のプルオン吸収性物品にも適用できることを理解されたい。
【００１６】
用語「上着」は、身体に着用されたときに外から見え、時々、肌着又はズボン下のような他の衣類の上に着用される衣類を意味する。本発明では、用語「上着」には、パンツ、スラックス、ジーンズ、ズボン、ドレス（例えば、ワンピースドレス、ツーピースドレス、パーティードレス）、シャツ（例えば、スウェットシャツ、Ｔシャツ、タンクトップ、ポロシャツ、ドレスシャツ）、ブラウス、半ズボン、スカーフ、ショール、オーバーオール、キャミソール、ベスト、セーター、スカート、キュロット、タンクトップ、ジャケット、スポーツウェア（例えば、サッカーウェア、スイミングウェア、ゴルフウェア、テニスウェア、ラグビーウェア、バスケットボールウェア、トレーニングウェア、ジャージ）などが挙げられるが、これらに限定されない。用語「上着様」は、その外観が上着を擬似したものである吸収性物品を意味する。用語「グラフィック」は、親、世話人、及び、幼児（以下、「観察者」と呼ぶ）のような吸収性物品を見る人々を引き付けるために使用されるデザイン、図、又は、写真を意味する。
【００１７】
上着様グラフィックは、デザインテーマを提供する。用語「デザインテーマ」は、特定の印象を観察者に与える概念を意味する。概念は、ファッション、傾向、流行、文化、文明などを反映してよい。「デザインテーマ」の例は、「アメリカンカジュアル」、「フレンチシック」、「サイケデリック」、「イタリアンカジュアル」、「エスニック」、「マリンルック」、「ジャパネスク」などである。
【００１８】
「アメリカンカジュアル」のデザインテーマは、「明るい」、「活発」、「カジュアル」、「陽気」、「エネルギッシュ」、「元気」、「積極的」、「壮大」、「豪華」、「力強い」、「丈夫」、「活気がある」、「ダイナミック」、「溌剌とした」などの言葉で表現されてよいファッションスタイルを意味する。その源は、スポーツ、仕事、アウトドア、軍隊、バイク乗りなどのような幾つかの種別に分類される、ファッションを重視するスタイルである。また、「アメリカンカジュアル」は、ジーンズのようなデニム布地上でよりよく見えることができる。その例が、以下に記載される図１〜１２で提供される。「アメリカンカジュアル」のデザインテーマを提供するために、例えば、大きなロゴ、大きなグラフィック、明確なカット模様などを提供するのが有益である。「アメリカンカジュアル」のデザインテーマを提供するために、このデザインテーマは「活発」及び「溌剌とした」のような言葉で説明されることができるため、例えば、暗色及び明色を組み合わせて色の対比を与えてよい。
【００１９】
「フレンチシック」のデザインテーマは、「優雅」、「優美」、「柔らかい」、「落ち着いた」、「大人しい」、「上品」、「穏やか」、「緩やか」、「静的な」、「澄んだ」、「スマート」、「控え目」などのような言葉で表現されてよいファッションスタイルを意味する。その源は、淡黄色、淡桃色、水色、淡緑色、白色、灰色、ベージュ色、アイボリー色などのようなパステル及び淡色を主に含むスタイルである。その例が、以下に記載される図１３〜２２で提供される。「フレンチシック」のデザインテーマを提供するために、このデザインテーマは「優雅」及び「優美」のような言葉によって説明されることができるため、例えば、花、葉、草、リボン、フリル、レース、水玉模様、波線などのような明るい色、女性らしいファッションモチーフ、及び、細かく小さな模様又は物体、淡色グラデーションを提供するのが有益である。
【００２０】
「サイケデリック」のデザインテーマは、幻覚剤を服用した際に経験するかのような、人目につく派手な色、蛍光色などを含むファッションスタイルを意味する。
【００２１】
「イタリアンカジュアル」のデザインテーマは、「モダン」、「大人」、「洗練された」、「優雅」などの言葉で表現されてよいファッションスタイルを意味する。「イタリアンカジュアル」は、時々、ファッションデザインを反映してよい。「イタリアンカジュアル」は、ファッションセンスの高さから「モダン」な印象を与えるが、くすんだ色を含んでよい。
【００２２】
「エスニック」のデザインテーマは、西洋文化とは異なるために西洋の人々にとって新奇で興味深い国又は文化のファッションスタイルを意味する。「エスニック」は、民族伝統のファッションテイストを提供する「フォークロア」とも呼ばれる。特に、「エスニック」は、中近東、アフリカ、中南米、中央アジア、モンゴルなどを特定することを意図されている。幾つかのエスニックファッションは、伝統的な花、植物、木、葉、動物、爬虫類、昆虫などのテイストを有する。
【００２３】
「マリンルック」のデザインテーマは、船員が着用する衣服を模倣している。この衣服の例としては、セーラーカラー、水平帽、白いキュロットが挙げられる。また、ヨット、錨、船、ボート、舵のようなモチーフを含む衣服も含まれてよい。「マリンルック」は、「ネイビールック」とも呼ばれる場合がある。
【００２４】
「ジャパネスク」のデザインテーマは、伝統的な日本文化に特に関連した、エスニックテイストのファッションスタイルを意味する。「ジャパネスク」は、例えば、墨絵（墨筆による絵画）、着物（文字通り「着る物」なのであるが、本文中では、特に日本の伝統的な衣類に関する）、相撲取り、浴衣（通常は綿、亜麻布又は麻布から作製される、略式の、裏地のない夏の着物）、桜の花、平仮名又は片仮名（日本文字とも呼ばれる）、漢字（中国文字とも呼ばれる）などによって例示された日本古来のファッションテイストを意味する。
【００２５】
上着様グラフィックは、上着構成要素及び背景要素を含み、上着様グラフィックは、おむつにデザインテーマを提供する。「デザインテーマ」は、上着構成要素又は背景要素のうちの少なくとも１つが、違いを付けられることで異なってよい。
【００２６】
「デザインテーマ」は、上着構成要素及び背景要素の組み合わせによって特徴付けられてよい。例えば、背景要素が無地であり、その無地の背景要素がデザインテーマに何も与えないかほとんど与えない（例えば、白無地模様）場合、上着構成要素は、背景要素よりも強くデザインテーマに寄与する。このような場合、背景要素はデザインテーマを提供することを邪魔しないが、背景要素は特定のデザインテーマを特徴付けるために上着構成要素を補強することができる。また、上着構成要素がデザインテーマを提供しないかほとんど提供しない場合、背景要素は上着構成要素よりも強くデザインテーマに寄与してよい。このような場合、上着構成要素はデザインテーマを提供することを邪魔しないが、上着構成要素は特定のデザインテーマを提供するために背景要素を補強することができる。上着構成要素及び背景要素の組み合わせも、デザインテーマを提供することができる。
【００２７】
用語「上着構成要素」は、上着において特定の機能を有する特別な区分の構成要素を模倣している吸収性物品の１つの要素を意味する。「上着構成要素」には、例えば、擬似ウエストバンド、擬似ベルト、擬似ベルト穴、擬似ポケット、擬似ボタン、擬似レッグバンド、擬似ステッチ、擬似ジッパー、擬似パンツフライ、デザインテーマ用の擬似タグ、寸法マークなどが挙げられる。１つを超える上着構成要素を一緒に組み合わせてよい。
【００２８】
用語「背景要素」は、吸収性物品全体の大部分を占める吸収性物品の１つの要素を意味する。背景要素の例には、材料のデザインとして、無地のモノトーン、線若しくは形状などの規則的又は不規則的配置などが挙げられる。「背景要素」には、例えば、無地、縞、チェック、格子、線（例えば、直線、波線、折れ線）、図（例えば、水玉模様、星形物体、花の図、葉の図、ボールの図（バスケットボール、野球ボール、バレーボール、テニスボールなど）、バットの図）、タータン、ギンガムチェック、ヘリンボーン、千鳥格子、千花模様、オーバーチェック、ワッフル、シェパードチェック、グリークキー、アーガイル、チェッカー、プリンスオブウェールズチェック、ひし形、矩形、ティアドロップ型、正方形などが挙げられる。１つを超える背景要素が一緒に使用されてよい。
【００２９】
背景要素は更に、「装飾要素」を含んでよい。用語「装飾要素」は、背景要素を飾ることによって更にデザインテーマに寄与する物体を意味する。「装飾要素」には、例えば、文字（例えば、アルファベット、中国文字、数字を含む）、ロゴ、数字、マーク、擬似バッジ、擬似エンブレム、擬似フリル、擬似リボンなどが挙げられる。１つを超える装飾要素が一緒に使用されてよい。
【００３０】
用語「相関する」は、特定のデザインテーマを提供するための相乗効果を及ぼすために上着構成要素及び背景要素の選択が実行されることを意味する。特定のデザインテーマは特に限定されないが、特定のデザインテーマの例としては、「アメリカンカジュアル」、「フレンチシック」、「サイケデリック」、「イタリアンカジュアル」、「エスニック」、「マリンルック」、「ジャパネスク」などが挙げられる。例えば、上着構成要素が、「アメリカンカジュアル」のデザインテーマを提供する際、背景要素の選択は、「アメリカンカジュアル」の共通のデザインテーマを提供して相乗効果を及ぼすために「アメリカンカジュアル」のデザインテーマを提供するよう行われてもよい。また、背景要素が、「アメリカンカジュアル」のデザインテーマを提供する際、上着構成要素の選択は、「アメリカンカジュアル」の共通のデザインテーマを提供して相乗効果を及ぼすために「アメリカンカジュアル」のデザインテーマを提供するよう行われてもよい。上着構成要素及び背景要素の組み合わせは、共通のデザインテーマを提供してよい。
【００３１】
以下に、図１及び２で例示される、本発明における吸収性物品の詳細な説明がなされる。
【００３２】
図１及び２で示されるプルオンおむつ２０は、長手方向中心線Ｌ１及び横断方向中心線Ｔ１を有している。おむつ２０は、液体透過性トップシート５６、バックシート５８、及び、液体透過性トップシート５６及びバックシート５８の間の吸収性コア６０を有する本体５０を含む（図２７を参照のこと）。液体透過性トップシート５６は、吸収性コア６０の身体に面する表面に隣接して位置されてよく、任意の好適な取り付け手段によって、吸収性コア６０の身体に面する表面及びバックシート５８に接合されてもよい。バックシート５８は一般に、吸収性コア６０の外側表面に隣接して位置されるおむつ２０の部分であり、吸収性コア６０中に吸収され、収容される尿及び他の身体排出物が、おむつ２０と接触する可能性のある物品を汚すのを防ぐ。液体透過性トップシート５６及びバックシート５８の間の吸収性コア６０は、尿及び他の身体排出物を吸収して保持する。液体透過性トップシート５６、バックシート５８、及び、吸収性コア６０は、任意の好適な材料から製造されてよい。バックシート５８の材料の例としてフィルムなどが挙げられるが、バックシートは、不織布のような更なる材料で覆われてもよい。本体５０は、長手方向側縁部に沿って配置されたバリアレグカフを追加的に含んでよい。バリアレグカフは、股領域３０内の液体及びその他の身体排出物の、改善された収容性を提供することができる。
【００３３】
おむつ２０は、外側表面２２、外側表面２２に対向する内側表面２４を有する。おむつ２０は、本体５０、前側サイドパネル３４Ｆ、及び、後側サイドパネル３４Ｂを含む。本体５０は、前側領域２６、後側領域２８、及び、股領域３０を含む。前側サイドパネル３４Ｆ及び後側サイドパネル３４Ｂは、本体５０から横断方向外側に延びている。前側サイドパネル３４Ｆ及び後側サイドパネル３４Ｂは、右と左のぞれぞれにおいてシーム３２で接合している。前側サイドパネル３４Ｆ及び後側サイドパネル３４Ｂは、一対の脚開口部３６及びウエスト開口部３８を形成するよう、前側領域２６及び後側領域２８を接合している。前側領域２６は、前側メインパネル４０及び前側ウエストパネル４４を含む。後側領域２８は、後側メインパネル４２及び後側ウエストパネル４６を含む。
【００３４】
前側ウエストパネル４４は、着用者の前側に位置されるおむつ２０の一部を含む。後側ウエストパネル４６は、着用者の後側に位置されるおむつ２０の一部を含む。股領域３０は、着用者の脚の間のおむつ２０の一部を含み、着用者の下部胴体を覆う。
【００３５】
前側サイドパネル３４Ｆ及び後側サイドパネル３４Ｂ（合わせてサイドパネル３４と呼ぶ）は、外側カバー層、内側層、及び、外側カバー層及び内側層の間の伸縮性の中間層を含む。外側カバー層は、任意の既知な材料を含んでよい。外側カバー層は、単一の不織布層を含む。外側カバー層は、単一の疎水性不織布層を含んでよい。内側層は、任意の好適な材料を含んでよい。内側層は、単一の不織布層を含んでよい。バリアレグカフは、外側表面を構成するために、長手方向側縁部から横断方向外側に延びてもよい。外側カバー層は、本体５０のバックシート５８に直接接合されてよく、バックシート５８を覆う。
【００３６】
使い捨てプルオン吸収性物品の上着様グラフィックは、フィルムのようなバックシート５８上に印刷されてよい。フィルムは、不織布を通して上着様グラフィックが外側から見えるような不織布で覆われてよい。上着様グラフィックは、不織布上に印刷されてよい。不織布は、デザインテーマに関連する補足的な模様を有してよい。用語「補足」は、バックシート５８の上着様グラフィックと共にデザインテーマに寄与する不織布上に現れる模様を意味する。不織布が、上着様グラフィックと共に印刷される際、バックシート５８の外側表面２２は、上着様グラフィックと共に印刷されなくてもよい。
【００３７】
おむつ２０中の上着様グラフィックは、前側メインパネル４０及び／又は後側メインパネル４２上のグラフィックから連続するか、不連続であるサイドパネル３４の一部に現れるように配置されてもよい。サイドパネル３４のうちの少なくとも１つは、前側メインパネル４０及び／又は後側メインパネル４２のデザインテーマに関連するサイド模様を有してよい。用語「関連する」は、サイドパネル３４のサイド模様が、前側メインパネル４０及び／又は後側メインパネル４２上の上着様グラフィックの模様と同じデザインテーマを提供するか、デザインテーマを補足することを意味する。さもなければ、デザインテーマを提供する上着様グラフィックは、サイドパネル３４上にのみ印刷されてよい。
【００３８】
図１及び２は、上着様グラフィックが、「アメリカンカジュアル」のデザインテーマを提供するおむつ２０の実施形態を示している。上着様グラフィックは、上着構成要素及び背景構成要素を含む。上着構成要素は、前側ウエストパネル４４中及び後側ウエストパネル４６中に紺色の擬似ウエストバンド７４及び紺色の擬似ベルト穴７６を含む。上着構成要素は、前側ウエストパネル４４の中央に擬似ボタン７８も含む。上着構成要素は更に、股領域３０の縁部に沿って、一対の紺色の擬似レッグバンド８０を含む。擬似レッグバンド８０は、擬似ステッチによって強調されている。擬似ステッチ８２は、一対の擬似レッグバンド８０上においてデザインテーマに寄与している。背景要素は、バッジ８４の装飾要素を含む。背景要素は、前側メインパネル４０中及び後側メインパネル４２中に横縞を含む。横縞は、交互に配列される水色の太線７０及び灰色の細線７２を含む。縞の太さ、色、及び、数はこれに限定されない。例えば、縞は、同じ太さを有する複数個の縞を含んでよい。縞の形状は、横縞に限定されず、縦縞、斜め縞、異なる方向の縞の組み合わせも同様に含まれてよい。
【００３９】
図１及び２で示されるおむつ２０に含まれる上着様グラフィックは、「アメリカンカジュアル」のデザインテーマを提供する。横縞、擬似ウエストバンド７４、擬似レッグバンド８０、擬似ボタン７８、及び、擬似バッジ８４は、「アメリカンカジュアル」のデザインテーマにおいて相関するように選択される。上着構成要素（擬似ウエストバンド７４、擬似レッグバンド８０、及び、擬似ボタン７８、図１Ａ及び２Ａ参照）及び背景要素（横縞及び擬似バッジ８４、図１Ｂ及び２Ｂ参照）の組み合わせは、「アメリカンカジュアル」のデザインテーマを提供する。また、図１及び２で示されるおむつ２０に含まれる上着様グラフィックは、「スウェットシャツ」を模倣することによって「アメリカンカジュアル」のデザインテーマを提供する。「スウェットシャツ」は、少年及び少女によって着用され、特にカジュアルな衣類として着用され、「カジュアル」、「元気」などで説明される印象を提供する。したがって、「スウェットシャツ」は、「アメリカンカジュアル」のデザインテーマに通じることができる。
【００４０】
本発明は、「アメリカンカジュアル」のデザインテーマを提供する上着様グラフィックを含む吸収性物品を選択する喜びを幼児、親、及び、世話人に与える効果を提供することができる。吸収性物品は衣類のように見えるので、実際にはスカートやパンツを着用せずに、幼児、親、及び世話人を引き付けることができる。例えば、「かわいい」、「格好いい」、「愛らしい」などと幼児を誉めることは、幼児の成長において、「よくやった！」、「よかったね！」、「大したもんだ！」などのような言い回しと同様の効果を有する。これは、幼児が自信を持つ助けとなることができる。吸収性物品は、幼児の精神的な成長に影響を与えることができる。幼児が従来のおむつを卒業する準備ができている際、親及び幼児の双方が、幼児が確実に成長していることを認識したい場合がある。本発明の吸収性物品は、親及び幼児が、幼児の成長を認識するのに役立つことができる。吸収性物品の表面上に現れるグラフィックは、上着を模倣しているので、幼児はそれを進んで着用したがる。吸収性物品は、そのデザイテーマによって、幼児が従来のおむつからプルオンおむつ（トレーニングパンツなど）に順調に移行するのを促進することができる。複数個の吸収性物品は、吸収性物品が交換される際に、幼児、親、及び、世話人に喜びを与える。以上で記載されるように、上着のデザインを採用した吸収性物品は、幼児の精神的成長を促進することができる。
【００４１】
本発明の吸収性物品は更に、キャラクターを含んでよい。キャラクターとしては、象、少年、少女、おもちゃ、犬、猫、キリン、羊、狼、馬、ネズミ、アヒル、熊、イルカ、魚、虎、ライオンなどのような動物が挙げられる。キャラクターは、セサミストリート（Sesame Street）（商標）などに登場するようなアニメーションキャラクターであることができる。
【００４２】
本体５０の外側表面２２は、上着様グラフィックで満たされてよい。上着様グラフィックは、本体５０の領域の少なくとも約７０％又は約８０％に現れるように配置されてよい。
【００４３】
図３及び４は、上着様グラフィックが、「アメリカンカジュアル」のデザインテーマを提供するおむつ２０の別の実施形態を示している。上着様グラフィックは、上着構成要素及び背景要素を含む。上着構成要素は、前側ウエストパネル４４中及び後側ウエストパネル４６中に赤色及び白色の擬似ウエストバンド７４及び擬似ベルト穴７６を含む。上着構成要素は、股領域３０の端部に沿って、一対の擬似レッグバンド８０も含む。擬似レッグバンド８０は、擬似ステッチ８２によって強調されている。擬似レッグバンド８０は、赤色の線及び白色の線を含む。上着構成要素は更に、前側ウエストパネル４４の中央及び前側メインパネル４０中に擬似ボタン７８、及び、前側メインパネル４０中に一対の擬似ポケット９１を含む。更に、上着構成要素は、擬似パンツフライ９４及び擬似フラップ１００を備えた擬似ポケット９８を含む。擬似フラップは、中央に擬似ボタン８９を備えている。背景要素は、前側メインパネル４０中及び後側メインパネル４２中に擬似「デニム布地」を含む。「デニム布地」の模様は、無地の紺色である。
【００４４】
擬似ウエストバンド７４は、横縞９２を含む。横縞９２は、赤色、白色、及び、こげ茶色の部分を含む。擬似ボタン７８は、長手方向中心線Ｌ１に沿って整列している。擬似ボタンの１つ（第１のボタン）は、前側ウエストパネル４４の中央に位置され、２つのボタンは、前側メインパネル４０において第１のボタンより下の長手方向中心線Ｌ１に沿って整列されている。擬似ステッチ８２によって強調されている「デニム布地」擬似ベルト穴７６は、擬似ウエストバンド７４上に位置されている。擬似ポケット９１は、前側メインパネル４０中に位置され、擬似ステッチ８２によって強調されている。擬似パンツフライ９４は、擬似ボタン７８の列の横の擬似ステッチ８２によって強調されている。擬似フラップ１００は、擬似ウエストバンド７４と同様の「アメリカンカジュアル」のデザインテーマのもとで特徴付けられている。背景要素は更に、後側メインパネル４２中の擬似ポケット９８上の擬似ボタン８９の装飾要素を含む。２つの擬似ベルト穴７６は、後側ウエストパネル４６の中央にＸマークを形成するように位置されている。
【００４５】
図３及び４で示されるおむつ２０に含まれる上着様グラフィックは、「アメリカンカジュアル」のデザインテーマを提供する。擬似デニム布地、擬似ウエストバンド７４、擬似ボタン７８、擬似レッグバンド８０、擬似パンツフライ９４、及び、擬似ポケット９８は、「アメリカンカジュアル」のデザインテーマにおいて相関するように選択される。上着構成要素（擬似ウエストバンド７４、擬似レッグバンド８０、及び、擬似ボタン７８）及び背景要素（横縞及び擬似バッジ８４）の組み合わせは、「アメリカンカジュアル」のデザインテーマを提供する。また、図３及び４で示されるおむつ２０に含まれる上着様グラフィックは、「デニムジーンズ」を模倣していることによって「アメリカンカジュアル」のデザインテーマを提供する。「デニムジーンズ」は、作業着又はカジュアル衣料として着用される。「デニムジーンズ」は、「目立つ」、「人目につく」、「大胆」、「活発」などの印象を提供する。「デニムジーンズ」は、「アメリカンカジュアル」のデザインテーマに通じることができる。無色及び明色の隣同士の組み合わせ（即ち、コントラスト）は、「アメリカンカジュアル」のデザインテーマを提供する。複数の色の組み合わせも許容されてよい。色の配置を限定するものではないが、「アメリカンカジュアル」のデザインテーマを表すためには、明色に隣り合った無色の整列が好ましい。色、数、及び、ボタンの配置は実施例に限定されず、「アメリカンカジュアル」のデザインテーマを提供する限り、任意の改変も許容される。「アメリカンカジュアル」のデザインテーマを提供する限り、例えば、黒、灰色、水色、又は、任意の色が許容される。擬似ボタン７８は、デニム布地の象徴である。股領域３０の赤い線９６は、デニム布地の紺色と対比して、デザインテーマを提供する。
【００４６】
図５及び６は、上着様グラフィックが、「アメリカンカジュアル」のデザインテーマを提供するおむつ２０の別の実施形態を示している。上着様グラフィックは、上着構成要素及び背景要素を含む。上着構成要素は、前側ウエストパネル４４中及び後側ウエストパネル４６中に擬似ウエストバンド７４を含む。擬似ウエストバンド７４は、横縞１１２を含む。横縞１１２は、交互に配置される紺色部１０６及び白色部１０８を含む。上着構成要素は、股領域３０の端部に沿って、一対の灰色の擬似レッグバンド８０を含む。上着構成要素は、前側ウエストパネル４４中に灰色の擬似ベルト穴７６を含む。上着構成要素は、前側ウエストパネル４４の中央に擬似ボタン７８を含む。上着構成要素は、後側メインパネル４２中に擬似ポケット９８も含む。擬似ポケット９８は、内部に数字「５」のロゴ９９及び擬似ボタン８９を含む。擬似ポケットは、擬似ステッチ８２によって強調されている。２つの灰色の擬似ベルト穴７６は、後側ウエストパネル４６の中央にＸマークを形成するように位置されている。背景要素は、前側メインパネル４０中及び後側メインパネル４２中に縦縞を含む。縦縞は、前側領域２６中及び後側領域２８中に交互に配置される紺色の線１０２及び白色の線１０４を含む。色を限定するものではないが、鋭いコントラストを有する任意の組み合わせが許容される。
【００４７】
図５及び６で示されるおむつ２０に含まれる上着様グラフィックは、「アメリカンカジュアル」のデザインテーマを提供する。縦縞、擬似ウエストバンド７４、及び、擬似レッグバンド８０は、「アメリカンカジュアル」のデザインテーマにおいて相関するように選択される。上着構成要素（擬似ウエストバンド７４及び擬似レッグバンド８０）及び背景要素（縦縞及び擬似ポケット９８）の組み合わせは、「アメリカンカジュアル」のデザインテーマを特徴付ける。ロゴ９９は更に、「アメリカンカジュアル」のデザインテーマを特徴付けるのに寄与している。また、図５及び６で示されるおむつ２０に含まれる上着様グラフィックは、「オーバーオール」を模倣していることによって「アメリカンカジュアル」のデザインテーマを提供する。「オーバーオール」は、子供（特に少年）に着用され、「大胆」、「陽気」などの印象を提供する。「オーバーオール」は、「アメリカンカジュアル」のデザインテーマに通じることができる。
【００４８】
図７及び８は、上着様グラフィックが、「アメリカンカジュアル」のデザインテーマを提供するおむつ２０の別の実施形態を示している。上着様グラフィックは、上着構成要素及び背景要素を含む。上着構成要素は、前側ウエストパネル４４中及び後側ウエストパネル４６中に擬似ウエストバンド７４を含む。擬似ウエストバンド７４は、横縞１１２を含む。横縞１１２は、赤色、灰色、及び、紺色の線を含む。各線は、ほぼ同じ幅で提供されているが、この幅は各自異なってよい。上着構成要素は、股領域３０の端部に沿って、一対の擬似レッグバンド８０を含む。擬似レッグバンド８０は、交互に配置される紺色の線、赤色の線、及び、白色の線を含む。上着構成要素は、中央にバスケットボール１１６の図を含む。縁取られたロゴ「ＰＲＯＰＥＲＴＹ  ＯＦ  ＣＯＷＢＯＹＳ」（カウボーイ達の道具）１１８は、バスケットボールの図１１６に重なっている。背景要素は、前側メインパネル４０中及び後側メインパネル４２中に白色の地１１０を含む。背景要素は、横縞１１２と一致する色のバスケットボールのロゴ１１４の装飾要素も含む。
【００４９】
図７及び８で示されるおむつ２０に含まれる上着様グラフィックは、「アメリカンカジュアル」のデザインテーマを提供する。バスケットボールの図１１４及び１１６、擬似ウエストバンド７４、及び、擬似レッグバンド８０は、「アメリカンカジュアル」のデザインテーマにおいて相関するように選択される。上着構成要素（擬似ウエストバンド７４及び擬似レッグバンド８０）及び背景要素（花びらの図１３２及び１３４、及び、擬似リボン１３６）の組み合わせによって「アメリカンカジュアル」のデザインテーマを提供する。特に、擬似ウエストバンド７４中の縞の配置は、「アメリカンカジュアル」のデザインテーマを提供する。また、図７及び８で示されるおむつ２０に含まれる上着様グラフィックは、「Ｔシャツ」を模倣していることによって「アメリカンカジュアル」のデザインテーマを提供する。「Ｔシャツ」は、スポーツウェア又はカジュアルウェアとして着用され、「活発」、「エネルギッシュ」などの印象を提供する。「Ｔシャツ」は、「アメリカンカジュアル」のデザインテーマに通じることができる。
【００５０】
図９及び１０は、上着様グラフィックが、「アメリカンカジュアル」のデザインテーマを提供するおむつ２０の別の実施形態を示している。上着様グラフィックは、上着構成要素及び背景要素を含む。上着構成要素は、前側ウエストパネル４４中及び後側ウエストパネル４６中に擬似ウエストバンド７４、及び、股領域３０の端部に沿って一対の赤色の擬似レッグバンド８０を含む。擬似ウエストバンド７４は、横縞１１２を含む。横縞は、赤色、白色、及び、こげ茶色の線を含む。擬似レッグバンド８０の色の組み合わせは、ウエストバンド７４と一致している。上着構成要素は更に、内部に赤色で文字が縁取られた数字「８０」のロゴ９９及び擬似ボタン８９を備える白色の擬似ポケット９８を含む。背景要素は、前側メインパネル４０中及び後側メインパネル４２中に赤レンガ色の無色の地１１０を含む。背景要素は、後側メインパネル４２中に赤色で縁取られた数字「８０」のロゴ１２４の装飾要素も含む。
【００５１】
図９及び１０で示されるおむつ２０に含まれる上着様グラフィックは、「アメリカンカジュアル」のデザインテーマを提供する。擬似ウエストバンド７４、擬似レッグバンド８０、及び、擬似ポケット９８は、「アメリカンカジュアル」のデザインテーマにおいて相関するように選択される。上着構成要素（擬似ウエストバンド７４及び擬似レッグバンド８０）及び背景要素（地４０及び擬似ポケット９８）の組み合わせは、「アメリカンカジュアル」のデザインテーマを提供する。また、図９及び１０で示されるおむつ２０に含まれる上着様グラフィックは、「スポーツウェア」を模倣していることによって「アメリカンカジュアル」のデザインテーマを提供する。「スポーツウェア」は、「活発」、「陽気」、「エネルギッシュ」、「活気がある」などの印象を提供する。「スポーツウェア」は、「アメリカンカジュアル」のデザインテーマに通じることができる。
【００５２】
図１１及び１２は、上着様グラフィックが、「アメリカンカジュアル」のデザインテーマを提供するおむつ２０の別の実施形態を示している。上着構成要素は、前側ウエストパネル４４中及び後側ウエストパネル４６中に擬似ウエストバンド７４を含む。擬似ウエストバンド７４は、赤色、白色、及び、青色部からなる縦縞１２７を含む。背景要素は、前側メインパネル４０中及び後側メインパネル４２中に、青色の地１１０及びその青色の地１１０上に散りばめられた水色の星形物体１２６を含む。背景要素は、前側メインパネル４０中に藍色の星形物体１２８も含む。背景要素は更に、藍色の星形物体１２８の中央に数字「２３」のロゴ１２９の装飾要素を含む。
【００５３】
図１１及び１２で示されるおむつ２０に含まれる上着様グラフィックは、「アメリカンカジュアル」のデザインテーマを提供する。星形物体１２６、擬似ウエストバンド７４、及び、擬似レッグバンド８０は、「アメリカンカジュアル」のデザインテーマにおいて相関するように選択される。上着構成要素（擬似ウエストバンド７４及び擬似レッグバンド８０）及び背景要素（星形物体１２６及び１２８、及び、数字のロゴ１２９）の組み合わせは、「アメリカンカジュアル」のデザインテーマを提供する。また、図１１及び１２で示されるおむつ２０に含まれる上着様グラフィックは、Ｔシャツを模倣していることによって及び「星形物体」を採用することによって「アメリカンカジュアル」のデザインテーマを提供する。背景と鋭いコントラストをなす「Ｔシャツ」及び「星形物体」は、「活発」、「エネルギッシュ」、「立派」などの印象を提供する。それらは、「アメリカンカジュアル」のデザインテーマに通じることができる。
【００５４】
図１〜１２で示されるおむつは、「アメリカンカジュアル」のデザインテーマを提供する上着様グラフィックを含む。例えば、図１及び２で示されるおむつは、スウェットシャツを擬似している。図３及び４で示されるおむつは、デニムジーンズを擬似シている。図５及び図６で示されるおむつは、オーバーオールを擬似している。図７及び８で示されるおむつは、Ｔシャツを擬似している。図９及び１０で示されるおむつは、スポーツウェアを擬似している。図１１及び１２で示されるおむつは、Ｔシャツを擬似している。これらの全てが、観察者に、「アメリカンカジュアル」のデザインテーマを連想させる。
【００５５】
図１３及び１４は、上着様グラフィックが、「フレンチシック」のデザインテーマを提供するおむつ２０の実施形態を示している。上着構成要素は、前側ウエストパネル４４中及び後側ウエストパネル４６中に桃色の擬似ウエストバンド７４を含む。上着構成要素は、股領域３０の端部に沿って、一対の桃色の擬似レッグバンド８０も含む。背景要素は、前側メインパネル４０中及び後側メインパネル４２中に花の図１３０を含む。花の図は、幾つかの淡桃色の花びらの図１３２及び幾つかの白色の花びらの図１３４を含む。背景要素は、前側メインパネル４０中の桃色の擬似ウエストバンド７４の中央に下げられている擬似リボン１３６の装飾要素も含む。
【００５６】
図１３及び１４で示されるおむつ２０に含まれる上着様グラフィックは、「フレンチシック」のデザインテーマを提供する。花びらの図１３２及び１３４、擬似ウエストバンド７４、及び、擬似レッグバンド８０は、「フレンチシック」のデザインテーマにおいて相関するように選択される。上着構成要素（擬似ウエストバンド７４及び擬似レッグバンド８０）及び背景要素（花びらの図１３２及び１３４、及び、擬似リボン１３６）の組み合わせは、「フレンチシック」のデザインテーマを提供する。また、図１３及び１４で示されるおむつ２０に含まれる上着様グラフィックは、「女児のワンピースドレス」を模倣していることによって及び花びらの装飾を採用することによって「フレンチシック」のデザインテーマを提供する。「女児のワンピースドレス」及び「花びら」は、「優雅」、「柔らかい」などの印象を提供し、「フレンチシック」のデザインテーマに通じることができる。
【００５７】
図１５及び１６は、上着様グラフィックが「フレンチシック」のデザインテーマを提供するおむつ２０の別の実施形態を示している。上着様グラフィックは、上着構成要素及び背景要素を含む。上着構成要素は、前側ウエストパネル４４中及び後側ウエストパネル４６中に淡桃色の擬似ウエストバンド７４を含み、擬似ウエストバンド７４中に白色の水玉模様１４４が規則的に配置されている。幾つかの種類の花のブーケの図１４６が、前側メインパネル４０中に位置されている。上着構成要素は、股領域３０の端部に沿って、一対の淡桃色の擬似レッグバンド８０も含む。背景要素は、前側メインパネル４０中及び後側メインパネル４２中に、白色の地１１０及びその白色の地１１０上に散りばめられた花の図１４０を含む。
【００５８】
図１５及び１６で示されるおむつ２０に含まれる上着様グラフィックは、「フレンチシック」のデザインテーマを提供する。白色の地１１０、花の図１４０、ブーケの図１４６、擬似ウエストバンド７４、及び、擬似レッグバンド８０は、「フレンチシック」のデザインテーマにおいて相関するように選択される。上着構成要素（擬似ウエストバンド７４及び擬似レッグバンド８０）及び背景要素（白色の地１１０、花の図１４０及びブーケの図１４６）の組み合わせは、「フレンチシック」のデザインテーマを提供する。また、図１５及び１６で示されるおむつ２０に含まれる上着様グラフィックは、「女児のブラウス」を模倣していることによって及び花の装飾を採用することによって「フレンチシック」のデザインテーマを提供する。「女児のブラウス」及び「花」は、「優雅」、「品位がある」などの印象を提供し、「フレンチシック」のデザインテーマに通じることができる。
【００５９】
図１７及び１８は、上着様グラフィックが「フレンチシック」のデザインテーマを提供するおむつ２０の別の実施形態を示している。上着様グラフィックは、上着構成要素及び背景要素を含む。上着構成要素は、前側ウエストパネル４４中及び後側ウエストパネル４６中に水色の擬似ウエストバンド７４を含んでおり、その下端は前側メインパネル４０中及び後側メインパネル４２中で波型である。上着構成要素は、股領域３０の端部に沿って、一対の擬似レッグバンド８０を含む。背景要素は、前側メインパネル４０中及び後側メインパネル４２中の白色の地１１０に幾つかの波線１４８を含む。背景要素はまた、後側メインパネル４２中に幾つかの大きな花の図１４０を含む。背景要素は更に、フリルの下中央部に下げられている擬似リボン１３６の装飾要素を含む。
【００６０】
図１７及び１８で示されるおむつ２０に含まれる上着様グラフィックは、「フレンチシック」のデザインテーマを提供する。白色の地１１０、波線１４８、擬似リボン１３６、花の図１４０、擬似ウエストバンド７４、及び、擬似レッグバンド８０は、「フレンチシック」のデザインテーマにおいて相関するように選択される。上着構成要素（擬似ウエストバンド７４及び擬似レッグバンド８０）及び背景要素（白色の地１１０、波線１４８、擬似リボン１３６及び花の図１４０）の組み合わせは、「フレンチシック」のデザインテーマを提供する。また、図１７及び１８で示されるおむつ２０に含まれる上着様グラフィックは、「女児のワンピースドレス」を模倣していることによって及び大きな花の装飾を採用することによって「フレンチシック」のデザインテーマを提供する。「女児のワンピースドレス」及び「大きな花」はまた、「優雅」、「優美」などの印象を提供し、「フレンチシック」のデザインテーマに通じることができる。
【００６１】
図１９及び２０は、上着様グラフィックが「フレンチシック」のデザインテーマを提供するおむつ２０の別の実施形態を示している。上着様グラフィックは、上着構成要素及び背景要素を含む。上着構成要素は、前側ウエストパネル４４中及び後側ウエストパネル４６中の横縞１１２からなる擬似ウエストバンド７４を含む。横縞は、桃色、オレンジ色、及び、白色の線を含む。また、上着構成要素は、股領域３０の端部に沿って、一対の桃色の擬似レッグバンド８０を含む。背景要素は、前側メインパネル４０中及び後側メインパネル４２中に白色の地１１０を含む。背景要素はまた、前側メインパネル４０中に、幾つかの花からなるブーケの図１４６を含む。背景要素は更に、後側メインパネル４２の中央に、花の図で満たされたハート形の図１５２からなる装飾要素を含む。
【００６２】
図１９及び２０で示されるおむつ２０に含まれる上着様グラフィックは、「フレンチシック」のデザインテーマを提供する。ブーケの図１４６、ハート形の図、擬似ウエストバンド７４、及び、擬似レッグバンド８０は、「フレンチシック」のデザインテーマにおいて相関するように選択される。上着構成要素（擬似ウエストバンド７４及び擬似レッグバンド８０）及び背景要素（ブーケの図１４６、ハート形の図１５２及び地）の組み合わせは、「フレンチシック」のデザインテーマを提供する。また、図１９及び２０で示されるおむつ２０に含まれる上着様グラフィックは、「ブラウス」を模倣していることによって、並びに、ブーケ及びハート形の花の図の装飾を採用することによって「フレンチシック」のデザインテーマを提供する。「女児のブラウス」及び「花の図」はまた、「優雅」、「優美」などの印象を提供し、「フレンチシック」のデザインテーマに通じることができる。
【００６３】
図２１及び２２は、上着様グラフィックが、「フレンチシック」のデザインテーマを提供するおむつ２０の別の実施形態を示している。上着様グラフィックは、上着構成要素及び背景要素を含む。上着構成要素は、前側ウエストパネル中４４中及び後側ウエストパネル４６中に青色の擬似ウエストバンド７４を含む。擬似ウエストバンド７４は、水色の小さな水玉模様１４４で満たされている。背景要素は、前側メインパネル４０中及び後側メインパネル４２中に無地の水色の地１１０を含む。背景要素はまた、白色及び水色からなる水玉模様１５６を含む。背景要素はまた、前側メインパネル４０中に、ボタン８８を模倣している水玉模様の装飾要素を含む。
【００６４】
図２１及び２２で示されるおむつ２０に含まれる上着様グラフィックは、「フレンチシック」のデザインテーマを提供する。水玉模様１５６、地１１０、及び、擬似ウエストバンド７４は、「フレンチシック」のデザインテーマにおいて相関するように選択される。上着構成要素（擬似ウエストバンド７４）及び背景要素（地１１０及び水玉模様１５６）の組み合わせは、「フレンチシック」のデザインテーマを提供する。また、図２１及び２２で示されるおむつ２０に含まれる上着様グラフィックは、「女児のスカート」を模倣していることによって及び水玉模様の装飾を採用することによって「フレンチシック」のデザインテーマを提供する。「女児のワンピースドレス」及び「水玉模様」はまた、「澄んだ」、「柔らかい」、「落ち着いた」などの印象を提供し、「フレンチシック」のデザインテーマに通じることができる。
【００６５】
図１３〜２２で示されるおむつは、「フレンチシック」のデザインテーマを提供する上着様グラフィックを含む。例えば、図１３及び１４に示されるおむつは、女児のワンピースドレスを擬似している。図１５及び１６に示されるおむつは、女児のブラウスを擬似している。図１７及び１８に示されるおむつは、女児のワンピースドレスを擬似している。図１９及び２０に示されるおむつは、ブラウスを擬似している。図２１及び２２に示されるおむつは、女児のスカートを擬似している。これらの全てが、観察者に、「フレンチシック」のデザインテーマを連想させる。
【００６６】
図２３及び２４は、図９及び１０に示されるおむつに基づいた「アメリカンカジュアル」のデザインテーマを提供する上着様グラフィックに加えて、象のキャラクター「パンパ（PAMPA）（商標）」１６０を含む、本発明のプルオンおむつ２０を示している。本実施形態では、前側メインパネル（図２３）は象のキャラクターを含んでいないが、含んでいてもよい。
【００６７】
図２５及び２６は、図２１及び２２に示されるおむつに基づいた「フレンチシック」のデザインテーマを提供する上着様グラフィックに加えて、象のキャラクター「パンパ（PAMPA）（商標）」１６０を含む、本発明のプルオンおむつ２０を示している。例えば、「パンパ（PAMPA）（商標）」のデザインは、幅広く使用されている。図２３〜２６で示されるように、上着様グラフィックと「パンパ（PAMPA）（商標）」キャラクターは、幼児に親しみやすい印象を提供する。
【００６８】
本発明は更に、パッケージ中に収容される、上述するような複数個の使い捨てプルオン吸収性物品の配列に関する。用語「配列」は、パッケージ中に収容される複数個の使い捨てプルオン吸収性物品に関する。配列は、おむつ又はトレーニングパンツの配列であってよい。用語「パッケージ」は、例えば、樹脂パッケージ、紙パッケージなどを意味する。各吸収性物品は、上着様グラフィックを含み、上着様グラフィックは、デザインテーマを提供し、上着構成要素及び背景要素を含む。上着構成要素及び背景要素は、デザインテーマにおいて相関するように選択される。デザインテーマは、上着構成要素及び背景要素の組み合わせによって特徴付けられる。使い捨て吸収性物品の配列は、第１の上着様グラフィックを含む第１の吸収性物品及び第２の上着様グラフィックを含む第２の吸収性物品を含む。第１の上着様グラフィックは、第１のデザインテーマを提供し、第２の上着様グラフィックは、第２のデザインテーマを提供する。上着構成要素及び背景要素（装飾要素を含む）から選択される少なくとも１つは、第１の上着様グラフィックと第２の上着様グラフィックとの間で違いを付けられることで、第１の上着様グラフィック及び第２の上着様グラフィックは互いに異なっている。第１及び第２の上着様グラフィックの上着構成要素が互いに異なり、それらの背景要素が同一である場合、デザインテーマは、互いに同一であっても異なっていてもよい。第１及び第２の上着様グラフィックの上着構成要素が同一であり、第１及び第２の上着様グラフィックの背景要素が異なる場合、デザインテーマは、互いに同一であっても異なっていてもよい。上着構成要素及び背景要素が互いに異なる場合、デザインテーマは互いに同一であっても異なっていてもよい。第１の上着様グラフィックのデザインテーマ及び第２の上着様グラフィックのグラフィックテーマが同一である場合、第１のデザインテーマ及び第２のデザインテーマは関連している。第１の上着様グラフィックのデザインテーマ及び第２の上着様グラフィックのグラフィックテーマが異なる場合、第１のデザインテーマ及び第２のデザインテーマは関連していない。
【００６９】
用語「違いを付けられる」は、第１のグラフィック及び第２のグラフィックが、異なる上着構成要素、背景要素及び／又はそれらの組み合わせを有することを意味する。おむつのデザインは上述の上着構成要素及び背景要素に限定されるものではないが、上着様グラフィックが特定のデザインテーマを提供する限り、任意の組み合わせが許容される。
【００７０】
用語「関連する」は、上着構成要素及び背景要素から選択される少なくとも１つが、第１の上着様グラフィックと第２の上着様グラフィックとの間で違いを付けられるかどうかに関わらず、第１のデザインテーマ及び第２のデザインテーマは互いに同じである（例えば、第１のデザインテーマが「アメリカンカジュアル」であり、第２のデザインテーマが「アメリカンカジュアル」である）ことを意味する。
【００７１】
用語「関連しない」は、上着構成要素及び背景要素から選択される少なくとも１つが、第１の上着様グラフィックと第２の上着様グラフィックとの間で違いを付けられることで、第１のデザインテーマ及び第２のデザインテーマは互いに同じでない（例えば、第１のデザインテーマが「アメリカンカジュアル」であるが、第２のデザインテーマが「フレンチシック」であって、「アメリカンカジュアル」と「フレンチシック」は、互いに著しい違いを有するデザインテーマであるため）ことを意味する。
【００７２】
図２８は、パッケージ中に各おむつが上着様グラフィック（図２８に図示しない）を含む、複数個のおむつ１６４の配列１６２の概略透視図を示している。上着様グラフィックは、デザインテーマを提供し、上着構成要素及び背景要素を含む。上着構成要素及び背景要素は、デザインテーマにおいて相関するように選択される。デザインテーマは、上着構成要素、背景要素及び／又は上着構成要素及び背景要素の組み合わせによって特徴付けられる。
【００７３】
図２８における配列１６２は、第１の上着様グラフィックを含む第１のおむつ１６４及び第２の上着様グラフィックを含む第２のおむつ１６６を含む。「第１のおむつ」は、２つ以上の吸収性物品からなる配列から適宜選択される、任意の１つの吸収性物品を意味する。「第２のおむつ」は、上記の配列からおむつが１つ引き抜かれた配列から適宜選択される、任意の１つの吸収性物品を意味する。第１のおむつ１６４における第１の上着様グラフィックは、第１のデザインテーマを提供し、第２のおむつ１６６における第２の上着様グラフィックは、第２のデザインテーマを提供する。配列１６２は、パッケージ１６８中に収容される。
【００７４】
上着構成要素及び背景要素から選択される少なくとも１つは、第１の上着様グラフィックと第２の上着様グラフィックとの間で違いを付けられることで、第１の上着様グラフィック及び第２の上着様グラフィックは互いに異なっており、第１のデザインテーマ及び第２のデザインテーマは互いに関連しても、関連しなくてもよい。違いを付ける目的は、幼児に、パック詰めされたおむつを選択することによって、また開封することによって楽しみを与えることである。
【００７５】
図２８は、４つのおむつからなる配列を開示しているが、おむつの数はこれに限定されない。おむつの数は、好ましくは２〜５０個であり、より好ましくは２〜３０個である。
【００７６】
デザインテーマを提供するおむつに含まれる上着様グラフィックは、幼児、親、及び、世話人を引き付け、精神、排尿、及び、排泄における幼児の成長を視覚的に補助する。
【００７７】
吸収性本体５０は、本体５０上に配置される尿及び身体排出物を吸収し、収容する。図１に示される実施形態では、本体５０は、長手方向中心線Ｌ１、横断方向中心線Ｔ１、左右長手方向に延びる側縁部及び前後横断方向に伸びる端縁部を有する、ほぼ矩形状を有する。
【００７８】
本明細書に開示した寸法及び値は、列挙された正確な数値に厳しく制限されるものとして理解すべきではない。それよりむしろ、特に規定がない限り、こうした寸法はそれぞれ、列挙された値とその値周辺の機能的に同等の範囲との両方を意味するものとする。例えば、「４０ｍｍ」として開示された寸法は、「約４０ｍｍ」を意味することを意図する。
【００７９】
本発明の「発明を実施するための形態」で引用したすべての文献は、関連部分において、本明細書に参考として組み込まれるが、いずれの文献の引用も、それが本発明に対する先行技術であることを容認するものとして解釈されるべきではない。本書における用語のいずれかの意味又は定義が、参照により組み込まれた文献における用語のいずれかの意味又は定義と相反する範囲では、本書においてその用語に与えられた意味又は定義が適用されるものとする。
【００８０】
本発明の特定の諸実施形態を図示し、記載したが、本発明の趣旨及び範囲から逸脱することなく他の様々な変更及び修正を実施できることは当業者には自明であろう。したがって、本発明の範囲内にあるこのようなすべての変更及び修正を、添付の特許請求の範囲で扱うものとする。
【図１】
2010508116.tif 000003
【図１Ａ】
2010508116.tif 000004
【図１Ｂ】
2010508116.tif 000005
【図２】
2010508116.tif 000006
【図２Ａ】
2010508116.tif 000007
【図２Ｂ】
2010508116.tif 000008
【図３】
2010508116.tif 000009
【図４】
2010508116.tif 000010
【図５】
2010508116.tif 000011
【図６】
2010508116.tif 000012
【図７】
2010508116.tif 000013
【図８】
2010508116.tif 000014
【図９】
2010508116.tif 000015
【図１０】
2010508116.tif 000016
【図１１】
2010508116.tif 000017
【図１２】
2010508116.tif 000018
【図１３】
2010508116.tif 000019
【図１４】
2010508116.tif 000020
【図１５】
2010508116.tif 000021
【図１６】
2010508116.tif 000022
【図１７】
2010508116.tif 000023
【図１８】
2010508116.tif 000024
【図１９】
2010508116.tif 000025
【図２０】
2010508116.tif 000026
【図２１】
2010508116.tif 000027
【図２２】
2010508116.tif 000028
【図２３】
2010508116.tif 000029
【図２４】
2010508116.tif 000030
【図２５】
2010508116.tif 000031
【図２６】
2010508116.tif 000032
【図２７】
2010508116.tif 000033
【図２８】
2010508116.tif 000034
【国際調査報告】
2010508116.tif 000035
2010508116.tif 000036
2010508116.tif 000037